(57)【要約】【課題】ヒストリカルトレンドモード時における測定データの検索時間を短縮して効率的に作業可能な記録計を提供する。【解決手段】外部から入力される各種測定データを記録し、該記録した測定データにおける測定波形を表示する波形表示領域１１ａを時間軸方向に１ドットずつスクロール移動可能なヒストリカルトレンドモード表示機能を有する記録計１０において、ヒストリカルトレンドモードから波形表示領域１１ａに表示されたスクロールバーを選択するスクロールバー選択モードに切り替えるモード切替・解除手段１２ａと、スクロールバー選択モード時に、波形表示領域１１ａに表示された測定波形を、スクロールバーによって時間軸方向に波形表示領域１１ａの表示領域単位でスクロール移動可能に表示制御する表示制御手段１４ｂとを備えた。【選択図】図１
2007132671.tif 000002
【特許請求の範囲】
【請求項１】
外部から入力される各種測定データを記録し、該記録した測定データにおける測定波形を表示する波形表示領域を時間軸方向に１ドットずつスクロール移動可能なヒストリカルトレンドモード表示機能を有する記録計において、
前記波形表示領域に表示された測定波形を、スクロールバーによって時間軸方向に前記波形表示領域の表示領域単位でスクロール移動可能に表示制御する機能を備えたことを特徴とする記録計。
【請求項２】
外部から入力される各種測定データを記録し、該記録した測定データにおける測定波形を表示する波形表示領域を時間軸方向に１ドットずつスクロール移動可能なヒストリカルトレンドモード表示機能を有する記録計において、
前記ヒストリカルトレンドモードから前記波形表示領域に表示されたスクロールバーを選択するスクロールバー選択モードに切り替えるモード切替・解除手段と、
前記スクロールバー選択モード時に、前記波形表示領域に表示された測定波形を、前記スクロールバーによって時間軸方向に前記波形表示領域の表示領域単位でスクロール移動可能に表示制御する表示制御手段と、
を備えたことを特徴とする記録計。
【発明の詳細な説明】
【技術分野】
【０００１】
本発明は、例えば熱電対や測温抵抗体などの温度検出素子からの温度信号の他、接点信号や電圧信号などの複数の各種入力信号の測定データの経時変化（時間経過に対する値の変化）をチャートとして表示画面上に表示する記録計に係り、特に時間軸方向にスクロール移動して過去データを表示するヒストリカルトレンドモードにおける測定波形の検索時間を短縮して所望の表示内容を効率的に表示可能な記録計に関する。
【背景技術】
【０００２】
従来、例えば熱電対や測温抵抗体などの温度検出素子からの温度信号の他、接点信号、電圧信号などの信号を取り込み、この取り込んだ信号を各チャンネル毎の測定データとしてその経時変化を表示画面上にチャート表示するペーパーレスの記録計として、例えば特許文献１のような記録計が公知である。
【０００３】
図５は上記特許文献１に開示される記録計の正面図である。図５に示すように、この記録計５１は、表示部５２を有し、例えば熱電対や測温抵抗体などの温度検出素子からの温度信号の他、接点信号や電圧信号などを入力信号として取り込み、この取り込んだ信号を各チャンネル毎の測定データとして表示部５２の表示画面５２ａ上に表示している。その際、表示部５２の表示画面５２ａ上には、各チャンネル毎の測定データの経時変化がチャートとして表示されるようになっている。これにより、記録紙を必要とせず、あたかも記録紙が画面を流れるように各チャンネル毎の測定データをトレンド表示するペーパーレス記録計が構成される。
【特許文献１】特公平５−３３７２５号公報
【発明の開示】
【発明が解決しようとする課題】
【０００４】
ところで、この種の記録計では、図３に示すように測定した各種データの値を自動的に更新しながらスクロールするリアルタイムトレンドモードと、図４に示すように時間軸方向のスクロールを停止して過去の測定データを表示するヒストリカルトレンドモードという表示機能を有する。
しかしながら、ヒストリカルトレンドモードにおいて、時間軸を過去に遡ったり現在に戻ったりして表示内容を変更する場合、例えば表示画面上のスクロールバーや方向キーなどを目的の測定波形が表示されるまで操作し続けなければならず、目的の時間位置までの移動が長い場合など無駄な作業時間を要し、作業を円滑に進行することができなかった。      
【０００５】
また、表示したい時刻を指定し、その指定した時刻の表示画面に移動する手段もあるが、オペレータが目的の時刻を正確に把握している場合に限られてしまうという問題や、表示内容が指定した時刻の内容まで一度に移動してしまうため、移動前から移動後の間のトレンド状態を確認することができないという問題もあった。
【０００６】
そこで、本発明は上記問題点に鑑みてなされたものであり、ヒストリカルトレンドモード時における測定データの検索時間を短縮して効率的に測定データ表示可能な記録計を提供することを目的とするものである。
【課題を解決するための手段】
【０００７】
上記した目的を達成するために、請求項１記載の記録計は、外部から入力される各種測定データを記録し、該記録した測定データにおける測定波形を表示する波形表示領域を時間軸方向に１ドットずつスクロール移動可能なヒストリカルトレンドモード表示機能を有する記録計において、
前記波形表示領域に表示された測定波形を、スクロールバーによって時間軸方向に前記波形表示領域の表示領域単位でスクロール移動可能に表示制御する機能を備えたことを特徴とする。
【０００８】
請求項２記載の記録計は、外部から入力される各種測定データを記録し、該記録した測定データにおける測定波形を表示する波形表示領域を時間軸方向に１ドットずつスクロール移動可能なヒストリカルトレンドモード表示機能を有する記録計において、
前記ヒストリカルトレンドモードから前記波形表示領域に表示されたスクロールバーを選択するスクロールバー選択モードに切り替えるモード切替・解除手段と、
前記スクロールバー選択モード時に、前記波形表示領域に表示された測定波形を、前記スクロールバーによって時間軸方向に前記波形表示領域の表示領域単位でスクロール移動可能に表示制御する表示制御手段と、
を備えたことを特徴とする。
【発明の効果】
【０００９】
本発明の記録計によれば、ヒストリカルトレンドモードにおいて、所望の測定波形の表示をスクロールバーの操作のみで時間軸方向に波形表示領域の表示領域単位でスクロール移動可能に表示制御することができるので、検索時間を短縮して作業の効率化を図ることができるとともに、スクロール移動時であっても移動前から移動後までの測定波形のトレンド変化も確認することができる。
【発明を実施するための最良の形態】
【００１０】
以下、本発明の最良の形態について、添付した図面を参照しながらそれぞれ説明する。図１は本発明に係る記録計の概略構成を説明するためのブロック図、図２は本発明に係る記録計の表示例を示す説明図である。
【００１１】
まず、図１、２を参照しながら、本例の記録計の概略構成について詳細に説明する。本例の記録計１０は、例えば熱電対や測温抵抗体などの外部の温度検出素子からの温度信号の他、接点信号や電圧信号を複数の端子部から取込み、これらの測定データを電気信号に変換して計測時間の経過に伴う計測結果を２次元表示するものであり、表示部１１、設定入力部１２と、記憶部１３と、制御部１４とで概略構成される。
【００１２】
表示部１１は、例えばＣＲＴや液晶ディスプレイなどの表示機器で構成され、制御部１４から出力される表示制御信号に基づいた表示内容を表示する。表示部１１に表示される表示画面としては、例えば図２に示すように、縦軸が時間軸、横軸がデータ量であり、測定箇所やチャンネルごとに測定された測定データの測定波形を表示する波形表示領域１１ａと、表示された各測定波形に対応した測定値を表示する測定値表示領域１１ｂとに分かれている。また、波形表示領域１１ａには、表示されている測定波形を時間軸方向にスクロール移動させて表示内容を切り替えるためのスクロールバー１１ｃが必要に応じて表示される。
【００１３】
設定入力部１２は、例えばオペレータが手動操作する設定キーや操作キーなどで構成され、記録計１０の筐体部分の所定箇所に配置される。設定入力部１２は、例えば測定データの収録開始／停止、表示画面上にチャート表示する測定データのチャンネル数の設定、各種表示内容の表示設定など、記録計１０を駆動する上で必要な各種設定を行う際に操作され、操作された各種設定信号が制御部１４に出力される。設定入力部１２は、モード切替・解除手段１２ａと、項目選択・表示移動手段１２ｂとを備えている。
【００１４】
モード切替・解除手段１２ａは、通常の表示モードであるリアルタイムトレンドモードからヒストリカルトレンドモードへと切り替えてヒストリカルトレンドモードにおける所望の表示内容を表示する際に操作し、操作されたことを示す操作信号を制御部１４に出力する。  項目選択・表示移動手段１２ｂは、例えば上下／左右の方向キーからなり、何れかを選択して表示内容をスクロールしたり各種表示項目を選択する際に操作し、選択された項目に関する情報や各方向へ移動したことを示す選択・移動信号を制御部１４に出力する。また、項目選択・表示移動手段１２ｂは、ヒストリカルトレンドモード時のスクロールバー１１ｃが識別可能に表示されている場合、表示された画面を時間軸方向にスクロールする時にのみ使用可能となる。
【００１５】
本例では、図２に示すようにモード切替・解除手段１２ａとして「ＳＣＲＯＬＬ」キー、項目選択・表示移動手段１２ｂとして上下／左右を選択するキーからなる方向キーとが記録計１０の筐体部分の所定箇所に配置されている。
【００１６】
「ＳＣＲＯＬＬ」キーは、リアルタイムトレンドモード時に操作すると、リアルタイム／ヒストリカル切替モードに移行し、リアルタイムトレンドモードからヒストリカルトレンドモードに切り替わる。このとき、表示画面もリアルタイムトレンドモードの表示画面からヒストリカルトレンドモードの表示画面に切り替わる。
また、リアルタイム／ヒストリカル切替モード時に「ＳＣＲＯＬＬ」キーを操作すると、スクロールバー選択モードに移行し、表示画面中のスクロールバー１１ｃが際立つように例えばスクロールバー１１ｃを背景色と異なる色の枠で囲んだり点滅するなど識別可能に選択される。
さらに、スクロールバー選択モード時に「ＳＣＲＯＬＬ」キーを操作すると、スクロールバー選択モードが解除され、通常のスクロールバー１１ｃの状態に戻る。
また、スクロールバー選択モードを解除した状態で「ＳＣＲＯＬＬ」キーを操作すると、ヒストリカル／リアルタイム切替モードに移行し、ヒストリカルトレンドモードからリアルタイムトレンドモードに切り替わる。このとき、表示画面もヒストリカルトレンドモードの表示画面からリアルタイムトレンドモードの表示画面に切り替わる。
【００１７】
方向キーは、リアルタイムトレンドモード時において、各種表示項目を選択したり表示内容を移動する操作キーとして使用する。また、ヒストリカルトレンドモード時では、各種表示項目を選択する他、波形表示領域１１ａをスクロール移動する際に使用する。なお、方向キーは、スクロールバー選択モード時において操作した場合、波形表示領域１１ａに表示されている測定波形を表示領域単位で時間軸方向にスクロール移動するときにのみ機能する。
【００１８】
記憶部１３は、例えば磁気的、光学的記憶媒体若しくはＲＯＭ、ＲＡＭなどの半導体メモリで構成され、記録計１０を駆動する上で必要な各種処理プログラムの他、外部の温度検出素子から入力した温度信号の他、接点信号や電圧信号などの各種測定データ、設定入力部１２で操作された各種キーの信号や各種設定内容などを記憶している。
【００１９】
制御部１４は、例えばＣＰＵやＲＯＭ、ＲＡＭなどのマイクロコンピュータで構成され、記憶部１３に記憶された各種処理プログラムに基づいて、記録計１０を構成する各部の動作を統括制御する。また、制御部１４は、モード判別手段１４ａと、表示制御手段１４ｂとを備えている。
【００２０】
モード判別手段１４ａは、モード切替・解除手段１２ａを操作する際に出力される操作信号の入力回数に基づいて、現在のモードがリアルタイム／ヒストリカル切替モード、スクロールバー選択モード、ヒストリカル／リアルタイム切替モードのうちどのモードであるかの判別をしている。
【００２１】
モード判別手段１４ａは、リアルタイムトレンドモード時においてモード切替・解除手段１２ａが操作されると、リアルタイム／ヒストリカル切替モードに切り替えるためのリアルタイム／ヒストリカル切替信号を表示制御手段１４ｂに出力する。
また、リアルタイム／ヒストリカル切替モード時にモード切替・解除手段１２ａを操作すると、スクロールバー１１ｃを選択するためのスクロールバー選択モード切替信号を表示制御手段１４ｂに出力する。
さらに、スクロールバー選択モード時にモード切替・解除手段１２ａを操作すると、スクロールバー選択モード解除信号を表示制御手段１４ｂに出力する。
また、スクロールバー選択モードを解除した状態でモード切替・解除手段１２ａを操作すると、リアルタイム／ヒストリカル切替モードに切り替えるためのリアルタイム／ヒストリカル切替信号を表示制御手段１４ｂに出力する。
【００２２】
表示制御手段１４ｂは、設定入力手段１２から入力した表示設定信号やモード判別手段１４ａから出力された各種信号に基づいて、表示部１１に表示する表示内容の表示制御を行うための表示制御信号を表示部１１に出力する。
【００２３】
ここで、表示制御について詳しく説明する。通常の表示画面であるリアルタイムトレンドモード時においてモード切替・解除手段１２ａが操作されると、表示制御手段１４ｂはモード判別手段１４ａからリアルタイム／ヒストリカル切替信号を入力し、この入力に基づいて、リアルタイムトレンドモードの表示内容からヒストリカルトレンドモードの表示内容に切り替えるための表示制御信号を表示部１１に出力する。
また、リアルタイム／ヒストリカル切替モード時にモード切替・解除手段１２ａが操作されると、表示制御手段１４ｂはモード判別手段１４ａからスクロールバー選択モード切替信号を入力し、この入力に基づいて、表示領域中のスクロールバー１１ｃが際立つように例えばスクロールバー１１ｃを背景色と異なる色の枠で囲んだり点滅するなど識別可能に選択された状態に表示するとともに、項目選択・表示移動手段１２ｂによるスクロールバー１１ｃ操作時に、測定波形が表示された表示領域単位で一度に時間軸方向にスクロール移動可能とするための表示制御信号を表示部１１に出力する。
さらに、スクロールバー選択モード時にモード切替・解除手段１２ａが操作されると、表示制御手段１４ｂはモード判別手段１４ａからスクロールバー選択モード解除信号を入力し、この入力に基づいて、表示領域中のスクロールバー１１ｃが選択された状態を解除し、スクロール操作時の表示移動範囲を通常のヒストリカルトレンドモードの表示状態に戻すための表示制御信号を表示部１１に出力する。
また、スクロールバー選択モードを解除した状態でモード切替・解除手段１２ａが操作されると、表示制御手段１４ｂはモード判別手段１４ａからリアルタイム／ヒストリカル切替モードに切り替えるためのリアルタイム／ヒストリカル切替信号を入力し、この入力に基づいて、ヒストリカルトレンドモードの表示内容からリアルタイムトレンドモードの表示画面に切り替えるための表示制御信号を表示部１１に出力する。
すなわち、表示内容は、モード切替・解除手段１２ａを操作する度に、リアルタイム／ヒストリカル切替モード→スクロールバー選択モード→スクロールバー選択モードの解除→ヒストリカル／リアルタイム切替モード→リアルタイム／ヒストリカル切替モード→…というように、モードが切り替わる度に順次表示内容が変更される。
【００２４】
次に、図２〜４を参照しながら、上述した記録計１０の操作方法について具体例を挙げて説明する。以下に説明する操作方法としては、モード切替・解除手段１２ａである「ＳＣＲＯＬＬ」キーを操作する度に、リアルタイムトレドモードからヒストリカルトレンドモードへ切替え、表示上のスクロールバー１１ｃの選択、選択されたスクロールバー１１ｃの解除、ヒストリカルトレドモードからリアルタイムトレンドモードへの切替えを順次行う記録計１０を用いて、外部の温度検出素子で測定した測定データを目的の時間位置まで移動して所望の測定データを表示する。なお、本例では、スクロールバー１１ｃは、上下の方向キーで表示画面をスクロール移動し、スクロールバー１１ｃが選択された場合は背景色と異なる色の枠で囲まれた状態で表示される。
【００２５】
図３に示すように、測定データ表示が開始されると、表示部１１には通常のモードであるリアルタイムトレンドモードにおける表示内容が表示される。リアルタイムトレンドモード時において、オペレータは「ＳＣＲＯＬＬ」キー１２ａを押すと、図４に示すように、通常のリアルタイムトレンドモードからヒストリカルトレンドモードに切り替わり、表示画面もリアルタイムトレンドモードの表示内容からヒストリカルトレンドモードの表示内容に切り替わる。なお、本例では、図３に示すリアルタイムトレンドモードの表示と図２及び図４に示すヒストリカルトレンドモードの表示とを一目で判別できるように、各モードによって波形表示領域１１ａの背景色を切り替えている。
【００２６】
そして、オペレータは、リアルタイムトレンドモードからヒストリカルトレンドモードへ切り替えた状態で「ＳＣＲＯＬＬ」キー１２ａを押すと、図２に示すように、右端に表示されたスクロールバー１１ｃが際立つようにスクロールバー１１ｃが枠で囲まれ、選択された状態となる。そして、この状態で方向キー１２ｂを操作して、波形表示領域１１ａに表示されている測定波形を表示領域単位で時間軸方向にスクロールさせ、表示されている測定波形を目的の時間位置付近までスクロール移動させる。そして、目的の時間位置付近までスクロール移動させた後、「ＳＣＲＯＬＬ」キー１２ａを押してスクロールバー１１ｃの選択を解除し、方向キー１２ｂで、目的の時間位置まで測定波形をスクロールさせて所望の測定データを表示させる。
【００２７】
このように、上述した記録計１０は、リアルタイムトレンドモード時にモード切替・解除手段１２ａを操作してリアルタイム／ヒストリカル切替モードに移行してヒストリカルトレンドモードに切り替え、リアルタイム／ヒストリカル切替モード時にモード切替・解除手段１２ａを操作してスクロールバー選択モードに切り替えてスクロールバー１１ｃを選択された状態にする。この状態で方向キーを操作して、波形表示領域１１ａに表示されている測定波形を表示領域単位で時間軸方向にスクロールさせ、表示されている測定波形を目的の時間位置付近までスクロール移動させる。そして、目的の時間位置付近までスクロール移動させた後、モード切替・解除手段１２ａを操作してスクロールバー１１ｃの選択を解除し、項目選択・表示移動手段１２ｂで目的の時間位置まで測定波形をスクロールさせて所望の測定データを表示させる。
これにより、測定データが大量である場合や目的の時間位置への移動に時間がかかる場合であっても、波形表示領域１１ａに表示されている測定波形を表示領域単位で時間軸方向にスクロール移動が可能なので、検索時間を短縮して作業の効率化を図ることができるとともに、スクロール移動時であっても移動前から移動後までの測定波形のトレンド変化も確認することができる。
【００２８】
ところで、上述した形態では、モード切替・解除手段１２ａとして「ＳＣＲＯＬＬ」キーを操作してリアルタイムトレンドモードとヒストリカルトレンドモードの切り替えなどの表示内容制御をする構成について説明したが、これに限定されることはなく、例えば設定入力部１２にリアルタイムトレンドモードとヒストリカルトレンドモードのモードを切り替えるための専用のモード切替・解除手段を新たに設け、モードの切り替えとスクロールバー１１ｃの選択／解除を別操作で行うこともできる。これにより、モード切替とスクロールバー１１ｃの選択／解除を異なるキー操作で行えるため、キー操作の回数が少なくなり作業を簡略化する効果を奏する。
【００２９】
また、スクロール表示画面の移動方向が上下の方向キーによって上下にスクロール移動する構成として説明したが、例えばスクロールの移動方向が左右でもよい。このような形態の場合では、スクロール移動を上下の方向キーでなく左右の方向キーを用いることでスクロール移動が時間軸に対して移動可能となる。
【００３０】
以上、本願発明における最良の形態について説明したが、この形態による記述及び図面により本発明が限定されることはない。すなわち、この形態に基づいて当業者等によりなされる他の形態、実施例及び運用技術等はすべて本発明の範疇に含まれることは勿論である。
【図面の簡単な説明】
【００３１】
【図１】本発明に係る記録計の概略構成を説明するためのブロック図である。
【図２】本発明に係る記録計の表示例を示す説明図である。
【図３】一般的なリアルタイムトレンドモード時の表示例を示す説明図である。
【図４】一般的なヒストリカルトレンドモード時の表示例を示す説明図である。
【図５】従来のペーパレス記録計の一例を示す説明図である。
【符号の説明】
【００３２】
１０  記録計
１１  表示部
１１ａ  波形表示領域
１１ｂ  項目選択・表示移動手段
１２  設定入力部
１２ａ  モード切替・解除手段
１２ｂ  項目選択・表示移動手段
１３  記憶部
１４  制御部
１４ａ  モード判別手段
１４ｂ  表示制御手段
【図１】
2007132671.tif 000003
【図３】
2007132671.tif 000004
【図５】
2007132671.tif 000005
【図２】
2007132671.tif 000006
【図４】
2007132671.tif 000007